(57)【特許請求の範囲】
【請求項１】
仮設の斜梁をフラットスラブで支持する斜梁の取付構造であって、
前記フラットスラブのキャピタルに着脱可能に固定される取付部材を有し、
前記取付部材は、前記キャピタルの下面に固定された横部材と、前記キャピタルの側面および前記横部材の側面に固定された縦部材と、により断面視Ｌ字状または横Ｔ字状に形成されており、
前記横部材または前記縦部材に前記斜梁が固定されていることを特徴とする、斜梁の取付構造。
【請求項２】
前記取付部材が、ボルトを利用して前記キャピタルに固定されていることを特徴とする、請求項１に記載の斜梁の取付構造。
【発明の詳細な説明】
【技術分野】
【０００１】
本発明は、フラットスラブへの斜梁の取付構造に関する。
【背景技術】
【０００２】
建物の構築等において、階高を低く抑えることを目的として、スラブ下面に梁型が突出することのないフラットスラブを採用する場合がある（例えば、特許文献１参照）。
特に、建物などの地下階にフラットスラブを採用すれば、階高を低く抑えることで掘削土量を削減し、工期の短縮化や施工費の低減化を図ることができる。
【０００３】
地下階を備える建物について、床スラブ等の躯体（以下、「上躯体」と称する）を構築した後、その下側の地盤を掘り下げて、下層階の躯体（以下、「下躯体」と称する）を構築する逆巻き工法が採用される場合がある。
【０００４】
逆巻き工法では、下躯体を構築するまでの間、上躯体を仮設の斜梁等により支持する必要がある。
このとき、上躯体がフラットスラブの場合には、キャピタルの高さ（厚さ）が斜梁の桁高に対して小さいため、フラットスラブの下面とキャピタルの側面との角部に、斜梁を固定するための斜梁受け部を形成する必要があった。
【０００５】
斜梁受け部は、斜梁を介して作用する応力を、フラットスラブに伝達することが可能となるように、コンクリートによりフラットスラブと一体に形成されている。
【先行技術文献】
【特許文献】
【０００６】
【特許文献１】特開平７−３３１７８４号公報
【発明の概要】
【発明が解決しようとする課題】
【０００７】
下躯体の構築後に斜梁を撤去すると、フラットスラブに残存した斜梁受け部が景観を損ねるおそれがある。
一方、コンクリートにより一体に形成された斜梁受け部をフラットスラブから撤去しようとすると、手間と時間を要することになる。
【０００８】
本発明は、前記の問題点を解決するものであり、フラットスラブの景観を損ねることのない斜梁の取付構造を提案することを課題とする。
【課題を解決するための手段】
【０００９】
前記課題を解決するために、本発明は、斜梁をフラットスラブのキャピタルに着脱可能に固定する斜梁の取付構造であって、前記斜梁は、取付部材を介して固定されており、前記取付部材は、前記キャピタルの下面に固定された横部材と、前記キャピタルの側面および前記横部材の側面に固定された縦部材とにより断面視Ｌ字状または横Ｔ字状に形成されていることを特徴としている。
前記取付部材は、前記キャピタルにボルトを介して固定されていてもよい。
【００１０】
かかる斜梁の取付構造によれば、斜梁を固定するための高さを備えていないフラットスラブのキャピタルに対して、簡易に斜梁を固定することができる。
取付部材は、キャピタルに着脱可能に固定されるため、施工後に取り外せば、建物の使用時の妨げとなることがない。
【発明の効果】
【００１１】
本発明の斜梁の取付構造によれば、斜梁撤去後のフラットスラブの景観が損ねられることがない。
【図面の簡単な説明】
【００１２】
【図１】本発明の実施の形態に係る斜梁の取付構造を示す側面図である。
【図２】同斜梁の取付構造を示す平面図である。
【図３】取付部材を示す斜視図である。
【図４】斜梁の取付構造の他の形態を示す側面図である。
【発明を実施するための形態】
【００１３】
以下、本発明の実施の形態の斜梁の取付構造１（以下、単に「取付構造１」という）について説明する。
本実施形態では、地下階を備える建物を、逆巻き工法により構築する場合、すなわち、上躯体（上層階の床スラブ）２を構築した後、その下側の地盤を掘り下げて、下躯体（下層階の躯体）３を構築する場合について説明する。
【００１４】
上躯体２は、鉄筋コンクリート製のフラットスラブ２０により形成されている。フラットスラブ２０には、柱４の位置に対応してキャピタル２１が形成されている。
【００１５】
キャピタル２１は、フラットスラブ２０の下面に突設された部分であって、本実施形態では、図２に示すように、平面視矩形状に形成されている。
【００１６】
本実施形態では、キャピタル２１の厚み（フラットスラブ２０から突出高さ）を３０ｃｍとする。
なお、キャピタル２１の形状や寸法等は限定されるものではなく、適宜設定すればよい。
【００１７】
下躯体３の構築は、上躯体２の下方を掘削した後、図１に示すように、仮設の斜梁１０により山留壁５を支持した状態で行う。
【００１８】
山留壁５は、上躯体２および下躯体３の周囲を囲むように形成されている。
山留壁５の形成方法は限定されるものではないが、本実施形態では、ＳＭＷ工法により形成されている。
【００１９】
取付構造１は、図１に示すように、仮設の斜梁１０をフラットスラブ２０（上躯体２）で支持するものである。
【００２０】
斜梁１０は、一端（上端）がフラットスラブ２０のキャピタル２１に固定されていて、他端（下端）は山留壁５の壁面に固定されている。
【００２１】
本実施形態の斜梁１０は、Ｈ形鋼により構成されている。なお、斜梁１０を構成する材料は限定されるものではない。
キャピタル２１に、取付部材１１を介して固定されている。
【００２２】
取付部材１１は、ボルト（図示省略）を利用して、キャピタル２１に着脱可能に固定されている。
取付部材１１は、キャピタル２１の下面に固定された横部材１２と、キャピタル２１の側面および横部材１２の側面に固定された縦部材１３とにより断面視Ｌ字状に形成されている。
【００２３】
取付部材１１は、図３に示すように、鋼製のブロック状部材からなる横部材１２および縦部材１３を組み合わせることにより構成されている。本実施形態では、横部材１２および縦部材１３として、幅および長さが６０ｃｍ、高さが３０ｃｍのものを使用するが、横部材１２および縦部材１３の形状寸法はこれに限定されるものではない。
【００２４】
横部材１２および縦部材１３には、複数のボルト孔１４，１４，…が各面に形成されている。
斜梁１０の一端は、図１に示すように、縦部材１３の側面（キャピタル２１と反対側の側面）に固定されている。なお、斜梁１０は、横部材１２に固定されていてもよい。
【００２５】
なお、取付部材１１は、斜材１０を取り付けることが可能であれば断面視Ｌ字状に限定されるものではなく、例えば、図４に示す取付部材１１のように、断面視横Ｔ字状に形成されていることで、斜材１０の取付面をより大きく確保してもよい。また、横部材１２および縦部材１３を構成する材料は限定されるものではない。さらに、取付部材１１は、予め横部材１２と縦部材１３とが一体に形成されていてもよい。
【００２６】
斜梁１０と縦部材１３の側面との間には、斜梁受けピース１５が介設されている。
【００２７】
本実施形態の斜梁受けピース１５は、斜梁１０の傾斜した端面と縦部材１３の垂直面との接合が可能となるように、斜梁１０の端面に取り付けられる部材と、縦部材１３に取り付けられる部材とからなり、両部材はヒンジを介して連結されている。この斜梁受けピース１５によれば、斜梁１０の角度に応じた角度調整が可能である。なお、斜梁受けピース１５の構成は限定されるものではなく、例えば、球形アジャスト等を備えたものや、傾斜面を備えたブロック状のものであってもよい。
【００２８】
斜梁１０の他端は、山留壁５の壁面に沿って配設された腹起こし材５１に固定されている。腹起こし材５１は、Ｈ形鋼により構成されており、腹起こし受け５２を介して配設されている。なお、腹起こし材５１を構成する材料は限定されるものではない。また、腹起こし受け５２の構成も限定されるものではない。
【００２９】
斜梁１０の他端と、腹起こし材５１との間には、斜梁１０の傾斜した端面と腹起こし材５１の垂直面との接合が可能となるように、斜梁受けピース１５が介設されている。
【００３０】
本実施形態の取付構造１によれば、斜梁１０を固定するための高さを備えていないフラットスラブ２０のキャピタル２１に対して、簡易に斜梁１０を固定することができる。
つまり、縦材１３の表面（取付部材１１の垂直面）により、斜材１０の取り付けるための高さ（面積）を確保している。
【００３１】
斜梁１０により上躯体２および山留壁５を支持した状態で、下躯体３の施工を行うため、上躯体２の下方に比較的広い作業スペースを確保できるとともに、下躯体３の施工時に支保部材等の受け替え作業等を省略することができ、施工性に優れている。
【００３２】
取付部材１１は、キャピタル２１に着脱可能に固定されるため、施工後に取り外して、キャピタル２１に形成されたボルト孔を埋めるのみで、建物の使用時の妨げとなることがない。
【００３３】
斜梁１０および取付部材１１は、再利用することが可能なため、施工費の低減化を図ることが可能である。
【００３４】
以上、本発明について、好適な実施形態について説明した。しかし、本発明は、前述の実施形態に限られず、前記の各構成要素については、本発明の趣旨を逸脱しない範囲で、適宜変更が可能である。
【００３５】
前記実施形態では、１つキャピタル２１により１本の斜梁１０を支持する場合について説明したが、１つのキャピタル２１により複数の斜梁１０，１０，…を支持してもよい。
【００３６】
前記実施形態では、斜梁１０を山留壁５の壁面に沿って配設された腹起こし材５１に固定する場合について説明したが、斜梁１０の固定方法はこれに限定されるものではない。例えば、山留壁５の壁面に沿って躯体が形成されている場合等には、躯体にアンカーボルトを介して板状のテンプレートを固定し、このテンプレートに斜梁１０を固定してもよい。
【００３７】
斜梁の取付構造１は、建物の規模に関わらず採用することができる。
また、斜梁１０の他端は、既設の柱等に固定してもよい。
【００３８】
取付部材１１の固定方法は、ボルトによる締着に限定されるものではない。
【符号の説明】
【００３９】
１    斜梁の取付構造
１０  斜梁
１１  取付部材
１２  横部材
１３  縦部材
２０  フラットスラブ
２１  キャピタル
【図１】
0005592309.tif 000002
【図２】
0005592309.tif 000003
【図３】
0005592309.tif 000004
【図４】
0005592309.tif 000005